(57)【要約】【課題】仮想装置の選択による通信インターフェースの間接的な選択を実現する。【解決手段】画像処理装置１００は、複数の仮想装置としての機能を備えている。通信部１０は、複数の通信インターフェースを備えており、通信管理部２０は、仮想装置ごとに利用可能な１以上の通信インターフェースを対応付けて管理する。制御部４０は、複数の仮想装置の中から現行の仮想装置として選択されている仮想装置による通信を、その仮想装置に対応付けられた通信インターフェースによる通信に制限する。【選択図】図１
2020048154.tif 000002
【特許請求の範囲】
【請求項１】
複数の仮想装置としての機能と複数の通信インターフェースを備える画像処理装置であって、
前記仮想装置ごとに利用可能な１以上の通信インターフェースを対応付けて管理する手段と、
前記複数の仮想装置の中から現行の仮想装置として選択されている仮想装置による通信を当該仮想装置に対応付けられた通信インターフェースによる通信に制限する手段と、
を有する画像処理装置。
【請求項２】
請求項１に記載の画像処理装置において、
前記仮想装置ごとに当該仮想装置を識別する表示態様を対応付けて管理する手段と、
前記現行の仮想装置として選択されている仮想装置に対応付けられた表示態様を含む表示画像を表示する手段と、
をさらに有する、
ことを特徴とする画像処理装置。
【請求項３】
請求項１または２に記載の画像処理装置において、
前記仮想装置ごとに当該仮想装置を識別する表示態様を対応付けて管理する手段と、
前記現行の仮想装置の選択候補となる１以上の仮想装置を当該仮想装置に対応付けられた表示態様で示した選択画像を表示する手段と、
をさらに有する、
ことを特徴とする画像処理装置。
【請求項４】
請求項１から３のいずれか１項に記載の画像処理装置において、
前記現行の仮想装置の選択候補が１つの仮想装置である場合に、当該仮想装置を前記現行の仮想装置として選択する、
ことを特徴とする画像処理装置。
【請求項５】
請求項１から４のいずれか１項に記載の画像処理装置において、
複数の宛先と各宛先の通信インターフェースを対応付けた宛先表の中から、前記現行の仮想装置として選択された仮想装置で利用可能な通信インターフェースに対応付けられた宛先を選択する手段と、
前記選択された１つ以上の宛先を前記現行の仮想装置として選択された仮想装置で利用可能な宛先一覧として表示する手段と、
をさらに有する、
ことを特徴とする画像処理装置。
【請求項６】
請求項１から５のいずれか１項に記載の画像処理装置において、
前記通信インターフェースごとに、他の仮想装置よりも優先して当該通信インターフェースに割り当てる１つの優先仮想装置を対応付けて管理する手段をさらに有し、
当該画像処理装置の外部から前記通信インターフェースを介して得られた指示情報の中に仮想装置を指定する情報が無い場合に、当該指示情報によって指定された仮想装置として、当該通信インターフェースに割り当てられた優先仮想装置を選択する、
ことを特徴とする画像処理装置。
【請求項７】
請求項６に記載の画像処理装置において、
前記指示情報によって指定された仮想装置として選択された前記優先仮想装置が、当該指示情報によって指示される転送先に対応した通信インターフェースを利用できない場合に、当該指示情報に従った転送処理を実行しない、
ことを特徴とする画像処理装置。
【請求項８】
複数の通信インターフェースを備えるコンピュータに、
複数の仮想装置としての機能と、
前記仮想装置ごとに利用可能な１以上の通信インターフェースを対応付けて管理する機能と、
前記複数の仮想装置の中から現行の仮想装置として選択されている仮想装置による通信を当該仮想装置に対応付けられた通信インターフェースによる通信に制限する機能と、
を実現させるプログラム。
【発明の詳細な説明】
【技術分野】
【０００１】
本発明は、画像処理装置およびプログラムに関する。
【背景技術】
【０００２】
特許文献１には、ネットワークを跨いだ装置間でデータのやり取りを行う情報処理装置が開示されている。特許文献１に開示される情報処理装置は、複数のネットワークに対応した複数の通信インターフェースを備えている。
【先行技術文献】
【特許文献】
【０００３】
【特許文献１】特開２０１６−９１５００号公報
【発明の概要】
【発明が解決しようとする課題】
【０００４】
複数のネットワークに対応した複数の通信インターフェースを備えた装置において、例えば、ユーザが通信ネットワークを選択したにも関わらず、その選択に誤りがありその誤りをユーザが気付かずにいると、ユーザの意図とは異なるネットワークに情報が流出してしまうことが考えられる。
【０００５】
例えば、ユーザに複数の設定項目のうちの一つとして通信インターフェースを直接的に選択させると、通信インターフェースの選択に誤りがあったとしても、他の複数の設定項目の中に紛れてしまい、その誤りにユーザが気付き難くなる。通信インターフェースの直接的な選択に代わる改良技術の登場が期待される。
【０００６】
本発明の目的は、仮想装置を選択することによる通信インターフェースの間接的な選択を実現することにある。
【課題を解決するための手段】
【０００７】
請求項１に係る発明は、複数の仮想装置としての機能と複数の通信インターフェースを備える画像処理装置であって、前記仮想装置ごとに利用可能な１以上の通信インターフェースを対応付けて管理する手段と、前記複数の仮想装置の中から現行の仮想装置として選択されている仮想装置による通信を当該仮想装置に対応付けられた通信インターフェースによる通信に制限する手段を有する画像処理装置である。
【０００８】
請求項２に係る発明は、請求項１に記載の画像処理装置において、前記仮想装置ごとに当該仮想装置を識別する表示態様を対応付けて管理する手段と、前記現行の仮想装置として選択されている仮想装置に対応付けられた表示態様を含む表示画像を表示する手段をさらに有することを特徴とする画像処理装置である。
【０００９】
請求項３に係る発明は、請求項１または２に記載の画像処理装置において、前記仮想装置ごとに当該仮想装置を識別する表示態様を対応付けて管理する手段と、前記現行の仮想装置の選択候補となる１以上の仮想装置を当該仮想装置に対応付けられた表示態様で示した選択画像を表示する手段をさらに有することを特徴とする画像処理装置である。
【００１０】
請求項４に係る発明は、請求項１から３のいずれか１項に記載の画像処理装置において、前記現行の仮想装置の選択候補が１つの仮想装置である場合に、当該仮想装置を前記現行の仮想装置として選択することを特徴とする画像処理装置である。
【００１１】
請求項５に係る発明は、請求項１から４のいずれか１項に記載の画像処理装置において、複数の宛先と各宛先の通信インターフェースを対応付けた宛先表の中から、前記現行の仮想装置として選択された仮想装置で利用可能な通信インターフェースに対応付けられた宛先を選択する手段と、前記選択された１つ以上の宛先を前記現行の仮想装置として選択された仮想装置で利用可能な宛先一覧として表示する手段をさらに有することを特徴とする画像処理装置である。
【００１２】
請求項６に係る発明は、請求項１から５のいずれか１項に記載の画像処理装置において、前記通信インターフェースごとに、他の仮想装置よりも優先して当該通信インターフェースに割り当てる１つの優先仮想装置を対応付けて管理する手段をさらに有し、当該画像処理装置の外部から前記通信インターフェースを介して得られた指示情報の中に仮想装置を指定する情報が無い場合に、当該指示情報によって指定された仮想装置として、当該通信インターフェースに割り当てられた優先仮想装置を選択することを特徴とする画像処理装置である。
【００１３】
請求項７に係る発明は、請求項６に記載の画像処理装置において、前記指示情報によって指定された仮想装置として選択された前記優先仮想装置が、当該指示情報によって指示される転送先に対応した通信インターフェースを利用できない場合に、当該指示情報に従った転送処理を実行しないことを特徴とする画像処理装置である。
【００１４】
請求項８に係る発明は、複数の通信インターフェースを備えるコンピュータに、複数の仮想装置としての機能と、前記仮想装置ごとに利用可能な１以上の通信インターフェースを対応付けて管理する機能と、前記複数の仮想装置の中から現行の仮想装置として選択されている仮想装置による通信を当該仮想装置に対応付けられた通信インターフェースによる通信に制限する機能を実現させるプログラムである。
【発明の効果】
【００１５】
請求項１に係る発明により、仮想装置を選択することによる通信インターフェースの間接的な選択が実現される。
【００１６】
請求項２に係る発明により、複数の仮想装置のうちのどれが現行の仮想装置として選択されているのかをユーザが視覚的に把握できる。
【００１７】
請求項３に係る発明により、現行の仮想装置の選択候補となる１以上の仮想装置をユーザが視覚的に把握できる。
【００１８】
請求項４に係る発明により、画像処理装置が現行の仮想装置を選択するため、ユーザによる仮想装置の誤った選択が回避される。
【００１９】
請求項５に係る発明により、現行の仮想装置で利用可能な通信インターフェースに対応付けられていない誤った宛先が選択される可能性を低減できる。
【００２０】
請求項６に係る発明により、画像処理装置の外部から得られた指示情報の中に仮想装置を指定する情報が無い場合でも、当該指示情報に応じた仮想装置を選択できる。
【００２１】
請求項７に係る発明により、画像処理装置の外部から得られた指示情報に従った転送処理を実行するにあたり、その指示情報に応じた仮想装置として選択された優先仮想装置が利用できない通信インターフェースによる転送処理の実行を回避できる。
【００２２】
請求項８に係る発明により、仮想装置を選択することによる通信インターフェースの間接的な選択を実現するプログラムが提供される。
【図面の簡単な説明】
【００２３】
【図１】実施形態の具体例の１つである画像処理装置１００を示す図である。
【図２】通信部１０の具体例を示す図である。
【図３】管理者により設定される設定内容の具体例を示す図である。
【図４】利用時に表示部７０に表示される表示画像の具体例を示す図である。
【図５】ユーザのログイン後に実行される処理の具体例を示す図である。
【図６】仮想装置で利用可能な宛先一覧を得る処理の具体例を示す図である。
【図７】宛先表と宛先一覧の具体例を示す図である。
【図８】リモート指示に従った処理の具体例を示す図である。
【発明を実施するための形態】
【００２４】
図１は、発明を実施するための形態（実施形態）の具体例の１つである画像処理装置１００を示す図である。図１に示す具体例において、画像処理装置１００は、通信部１０と通信管理部２０とデータ記憶部３０と制御部４０と仮想装置管理部５０と表示画像形成部６０と表示部７０と宛先表管理部８０と操作受付部９０を備えている。
【００２５】
通信部１０は、複数のネットワークに対応した通信機能を備えている。通信部１０は、例えば、複数の通信インターフェース（マルチインターフェース）を備えており、複数の通信インターフェースが複数種類のネットワークへの接続機能を備えている。
【００２６】
図１に例示する画像処理装置１００は、複数の仮想装置としての機能を備えている。通信管理部２０は、仮想装置ごとに利用可能な１以上の通信インターフェースを対応付けて管理する。
【００２７】
データ記憶部３０には、画像処理装置１００によって利用される様々なデータが記憶される。データ記憶部３０は、例えばハードディスクドライブ（ＨＤＤ）やソリッドステートドライブ（ＳＳＤ）や半導体メモリ等の記憶デバイスを利用して実現されてもよい。
【００２８】
制御部４０は、図１に例示する画像処理装置１００内の全体を統括的に制御する。制御部４０は、例えば、複数の仮想装置の中から現行の仮想装置として選択されている仮想装置による通信を、その仮想装置に対応付けられた通信インターフェースによる通信に制限する。制御部４０は、例えば各種のプログラムに従って統括的な制御を実行する。制御部４０は、例えばＣＰＵ（Central Processing Unit）やプロセッサなどの演算処理デバイスを利用して実現されてもよい。
【００２９】
仮想装置管理部５０は、複数の仮想装置に関する設定情報などを管理する。仮想装置管理部５０は、例えば、仮想装置ごとにその仮想装置に関する設定内容を含んだ設定情報を管理する。仮想装置管理部５０によって管理される設定情報は、例えばデータ記憶部３０に記憶される。
【００３０】
表示画像形成部６０は、表示部７０に表示される表示画像を形成する。表示部７０は、例えば、液晶ディスプレイや有機ＥＬ（エレクトロルミネッセンス）ディスプレイ等の表示デバイスを利用して実現されてもよい。
【００３１】
宛先表管理部８０は、図１に例示する画像処理装置１００で利用される宛先表を管理する。宛先表管理部８０が管理する宛先表には、複数の宛先が含まれており、複数の宛先と各宛先の通信インターフェースが対応付けられている。宛先表管理部８０が管理する宛先表は、例えばデータ記憶部３０に記憶される。
【００３２】
また、宛先表管理部８０は、宛先表の中から、現行の仮想装置で利用可能な通信インターフェースに対応付けられた宛先を選択してもよい。さらに、宛先表管理部８０によって選択された１つ以上の宛先が現行の仮想装置で利用可能な宛先一覧として表示部７０に表示されてもよい。
【００３３】
操作受付部９０は、図１に例示する画像処理装置１００を利用するユーザからの操作を受け付ける。操作受付部９０は、例えばマウス、キーボード、トラックボール、タッチパネル、その他のスイッチ類等のうちの少なくとも１つの操作デバイスにより実現されてもよい。
【００３４】
図１に示す具体例の画像処理装置１００は、例えば１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００３５】
そして、例えば、図１に示す画像処理装置１００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、図１に例示する画像処理装置１００の少なくとも一部の機能がコンピュータにより実現される。そのプログラムは、例えば、インターネット等の通信回線を介してコンピュータ（画像処理装置１００）に提供されてもよいし、光ディスクや半導体メモリやカードメモリ等の記憶媒体に記憶されてコンピュータ（画像処理装置１００）に提供されてもよい。
【００３６】
また、図１に例示する画像処理装置１００は、画像出力機能を備えた装置であってもよい。画像出力機能を備えた装置の具体例の一つが、複数の画像出力機能（印刷機能とスキャナ機能とコピー機能とファクシミリ機能などのうちの少なくともいくつかの機能）を備えた複合型の装置である。例えば、図１の画像処理装置１００が複合型の装置であれば、企業や学校などに設置されてその企業や学校の顧客に利用されてもよいし、コンビニエンスストアなどの店舗に設置されて不特定多数の顧客に利用されてもよい。なお、図１の画像処理装置１００は、複数の画像出力機能のうちの１つの機能のみを備えた装置であってもよい。
【００３７】
図１に例示する画像処理装置１００の全体構成は以上のとおりである。次に、図１の画像処理装置１００により実現される処理等の具体例について詳述する。なお、図１に示した構成（部分）については、以下の説明において図１の符号を利用する。
【００３８】
図２は、通信部１０の具体例を示す図である。図２には、図１の画像処理装置１００が備える通信部１０の具体例が示されている。
【００３９】
図２に示す具体例において、通信部１０は複数の通信インターフェース（通信ＩＦ）を備えており、複数の通信インターフェースが複数種類のネットワークへの接続機能を備えている。図２には、複数種類のネットワークの具体例として、ネットワーク１とネットワーク２とＦＡＸ外線が例示されている。ネットワーク１とネットワーク２は、例えば、ＬＡＮ（ローカルエリアネットワーク），ＷＡＮ（ワイドエリアネットワーク），インターネットなどのネットワーク回線である。ＦＡＸ外線はファクシミリ用の回線である。
【００４０】
図２の具体例では、通信ＩＦ１（通信インターフェース１）がネットワーク１に対応付けられており、通信ＩＦ２（通信インターフェース２）がネットワーク２に対応付けられており、通信ＩＦ３（通信インターフェース３）がＦＡＸ外線に対応付けられている。
【００４１】
このように、図１に例示する画像処理装置１００の通信部１０は、複数の通信インターフェースを備えている。さらに、図１の画像処理装置１００は、複数の仮想装置としての機能を備えている。例えば、１台の画像処理装置１００が、仮想的に区別された複数台の装置としての機能を備えている。そして、通信管理部２０により、仮想装置ごとに利用可能な１以上の通信インターフェースが対応付けて管理され、また、仮想装置管理部５０により、複数の仮想装置に関する設定情報などが管理される。仮想装置に関する通信インターフェースの設定やその他の設定情報は、例えば、図１の画像処理装置１００を管理する管理者によって設定される。
【００４２】
図３は、管理者により設定される設定内容の具体例を示す図である。図１の画像処理装置１００は、例えば複数のユーザ（利用者）によって利用される。管理者は、例えば、複数のユーザによる利用に先立って画像処理装置１００に関する設定を実行する。
【００４３】
図３（Ａ）には、設定変更の対象となる複数項目の具体例として、複数の仮想装置（仮想装置１，仮想装置２）と優先割り当てと利用可能装置が例示されている。例えば、管理者が設定を行う際に利用するメインメニューとして、図３（Ａ）の内容を示す表示画像が表示部７０に表示されてもよい。
【００４４】
図３（Ａ）に例示する設定変更の項目の中で仮想装置１の設定変更が選択されると、例えば図３（Ｂ）に例示する仮想装置１の設定に移行する。図３（Ｂ）には、仮想装置１に関する設定項目の具体例が示されている。例えば、図３（Ａ）に対応したメインメニューの表示画像が表示部７０に表示されている状態で、管理者が仮想装置１の設定変更を選択する操作を実行することにより、表示部７０の表示画像が図３（Ｂ）の内容を示す画像に切り替えられてもよい。
【００４５】
図３（Ｂ）には、仮想装置１に関する設定項目の具体例として、仮想装置１の名称と、複数のネットワーク（複数の通信インターフェース）に関する利用の可否と、仮想装置１のテーマカラーと、仮想装置１で利用する送信シートが例示されている。名称は、仮想装置に付けられる装置名である。図３（Ｂ）に示す具体例では、仮想装置１に対して外部向け装置という名称が設定されている。
【００４６】
また、図３（Ｂ）に示す具体例では、仮想装置１に対して、ネットワーク１（通信インターフェース１）が利用許可（利用可能）に設定され、ネットワーク２（通信インターフェース２）が利用不可に設定され、ファクス外線（通信インターフェース３）が利用許可（利用可能）に設定されている。つまり、図３（Ｂ）に示す具体例では、仮想装置１に対して複数の通信インターフェースが利用可能に設定されている。このように、１つの仮想装置に対して複数の通信インターフェースが利用可能に設定されてもよい。また、１つの仮想装置に対して１つの通信インターフェースのみが利用可能に設定されてもよい。
【００４７】
テーマカラーは、仮想装置を識別する表示態様の具体例の一つである。図３（Ｂ）に示す具体例では、仮想装置１に対してオレンジ（色）のテーマカラーが設定されている。送信シートは、仮想装置による画像（文字や記号のみの画像を含む）データの送信時に利用されるシート名である。図３（Ｂ）に示す具体例では、仮想装置１に対して送信シート１が設定されている。例えば仮想装置１によるファクス（ファクシミリ）の送信時に、送信シート１の内容が送信ヘッダとして利用されてもよい。
【００４８】
図３（Ａ）に戻り、設定変更の項目の中で優先割り当ての設定変更が選択されると、例えば図３（Ｃ）に例示する優先割り当ての設定に移行する。図３（Ｃ）には、複数のネットワーク（複数の通信インターフェース）に関する優先割り当ての具体例が図示されている。例えば、図３（Ａ）に対応したメインメニューの表示画像が表示部７０に表示されている状態で、管理者が優先割り当ての設定変更を選択する操作を実行することにより、表示部７０の表示画像が図３（Ｃ）の内容の画像に切り替えられてもよい。
【００４９】
図３（Ｃ）に示す具体例では、ネットワーク１（通信インターフェース１）に対して仮想装置１が優先仮想装置に割り当てられており、ネットワーク２（通信インターフェース２）に対して仮想装置２が優先仮想装置に割り当てられており、ファクス外線（通信インターフェース３）に対して仮想装置１が優先仮想装置に割り当てられている。優先割り当ての設定は、通信管理部２０によって管理されてもよいし仮想装置管理部５０によって管理されてもよい。なお、優先割り当ての設定を利用した処理の具体例は後に説明する。
【００５０】
図３（Ａ）に戻り、設定変更の項目の中で利用可能装置の設定変更が選択されると、例えば図３（Ｄ）に例示する利用可能装置の設定に移行する。図３（Ｄ）には、画像処理装置１００を利用する１人以上のユーザ（例えば予め登録された複数のユーザ）の各々に対して設定された利用可能な仮想装置の具体例が図示されている。例えば、図３（Ａ）に対応したメインメニューの表示画像が表示部７０に表示されている状態で、管理者が利用可能装置の設定変更を選択する操作を実行することにより、表示部７０の表示画像が図３（Ｄ）の内容の画像に切り替えられてもよい。
【００５１】
図３（Ｄ）に示す具体例では、ユーザＡに対して利用可能な装置として仮想装置１と仮想装置２が設定されており、ユーザＢに対して利用可能な装置として仮想装置１が設定されており、ユーザＣに対して利用可能な装置として仮想装置１が設定されており、ユーザＤに対して利用可能な装置として仮想装置２が設定されている。例えば、図３（Ｄ）に示す具体例のユーザＡのように、１人のユーザに対して利用可能な装置として複数の仮想装置が設定されてもよい。
【００５２】
次に、ユーザの利用時に実行される処理の具体例を説明する。図４は、利用時に表示部７０に表示される表示画像の具体例を示す図である。図４には、ユーザの利用時に表示画像形成部６０によって形成されて表示部７０に表示される表示画像の具体例が図示されている。
【００５３】
例えば、予め登録されたユーザがユーザ識別子やパスワードなどを入力して画像処理装置１００へログインすると、そのユーザが利用可能な仮想装置を画像処理装置１００が確認する。そして、ユーザが利用可能な仮想装置が複数ある場合には、利用可能な複数の仮想装置を選択候補として示す選択画像７２が表示部７０に表示される。
【００５４】
図４に例示する選択画像７２内には、仮想装置１に対応した表示マーク７２（１）と仮想装置２対応した表示マーク７２（２）が含まれている。例えば、ユーザが利用可能な仮想装置として仮想装置１と仮想装置２が設定されている場合に（図３（Ｄ）参照）、図４に例示する選択画像７２が表示部７０に表示される。
【００５５】
表示マーク７２（１）は仮想装置１に対応付けられた表示態様で表示される。例えば、表示マーク７２（１）内には仮想装置１の名称（図３（Ｂ）参照）として設定された「外部向け装置」が明示され、また、表示マーク７２（１）の背景が仮想装置１に対して設定されたテーマカラー（図３（Ｂ）参照）であるオレンジ色とされる。さらに、表示マーク７２（１）内には、仮想装置１に対応付けられた（仮想装置１が利用可能な）通信インターフェース（インターネットとファクス外線）も明示されている。
【００５６】
これに対し、表示マーク７２（２）は仮想装置２に対応付けられた表示態様で表示される。例えば、表示マーク７２（２）内には仮想装置２の名称として設定された「イントラ向け装置」が明示され、また、表示マーク７２（２）の背景が仮想装置２に対して設定されたテーマカラーである青色とされる。さらに、表示マーク７２（２）内には、仮想装置２に対応付けられた（仮想装置２が利用可能な）通信インターフェース（イントラネット）も明示される。
【００５７】
ユーザは、例えば、図４に例示する選択画像７２を利用して仮想装置を選択する。選択画像７２内には、選択候補となる仮想装置がその装置に対応付けられた表示態様で示されており、視覚的に複数の仮想装置の相違が明らかであるため、ユーザが仮想装置の選択を間違える可能性が低減される。これにより、ユーザが間違った通信インターフェースを選択する可能性も低減される。
【００５８】
ユーザにより仮想装置が選択されると、選択された仮想装置に対応したメニュー画像７４が表示部７０に表示される。例えば、選択された仮想装置で利用できる１つ以上のサービスを示すメニュー画像７４が表示される。
【００５９】
図４には、仮想装置２に対応したメニュー画像７４の具体例が図示されている。図４に示す具体例では、仮想装置２が利用できる複数のサービスとして、「コピー」「スキャン」「ファクス」「ボックス」が例示されている。ここで、仮想装置２には通信インターフェースとしてファクス外線が対応付けられていないため、仮想装置２に対応したメニュー画像７４の中から、利用できないサービスとして「ファクス」を除外しても良い。
【００６０】
さらに、図４に示すメニュー画像７４内には、仮想装置２に対応した表示マーク７６が含まれている。表示マーク７６は仮想装置２に対応付けられた表示態様で表示される。例えば、表示マーク７６内には仮想装置２の名称として設定された「イントラ向け装置」が明示され、また、表示マーク７６の背景が仮想装置２に対して設定されたテーマカラーである青色とされる。なお、表示マーク７６内に、仮想装置２に対応付けられた（仮想装置２が利用可能な）通信インターフェースが明示されてもよい。
【００６１】
ユーザは、例えば、図４に例示するメニュー画像７４を利用して仮想装置のサービス等を選択する。メニュー画像７４内には、選択された仮想装置がその装置に対応付けられた表示態様で示されているため、選択されている仮想装置（現行の仮想装置）が視覚的に明らかになる。そのため、仮に間違った仮想装置が選択されていたとしても、ユーザがその間違いに気付きやすくなる。なお、仮想装置２に対応した表示マーク７６は、メニュー画像７４内だけではなく、仮想装置２が選択されている期間中に常に表示部７０等に表示されてもよい。
【００６２】
また、例えば、メニュー画像７４から選択画像７２に戻ってユーザが仮想装置の選択をやり直すようにしてもよい。例えば、メニュー画像７４内でユーザが現行の仮想装置に対応した表示マーク７６を選択した場合に、メニュー画像７４から選択画像７２に切り替わるようにしてもよい。
【００６３】
なお、仮想装置の再選択は、つまり選択画像７２への切り替えは、メニュー画像７４だけではなく、例えば各サービスの設定画面などから行えるようにしてもよい。ただし、送信先の設定を行った後に仮想装置の再選択を行った場合には、仮想装置の再選択に伴い通信インターフェースの選択や初期設定なども変更されることがあるため、送信先に関する設定をクリアするようにしてもよい。
【００６４】
図５は、ユーザのログイン後に実行される処理の具体例を示す図（フローチャート）である。例えば、予め登録されたユーザがユーザ識別子やパスワードなどを入力して画像処理装置１００へログインする。なお、ユーザがＩＣカードなどを利用してログインを実行してもよい。
【００６５】
ユーザがログインに成功すると（画像処理装置１００の利用が許可されると）、まず、そのユーザが利用可能な仮想装置が確認される（Ｓ５０１）。例えば、画像処理装置１００は、仮想装置管理部５０によって管理される設定情報（図３（Ｄ））を確認し、ログインしたユーザが利用可能な仮想装置を確認する。
【００６６】
利用可能な仮想装置が複数ある場合には（Ｓ５０２）、利用可能な複数の仮想装置を示す選択画像が表示部７０に表示される（Ｓ５０３）。例えば、表示画像形成部６０が選択画像７２（図４参照）を形成して、その選択画像７２が表示部７０に表示される。
【００６７】
そして、ユーザが仮想装置を選択することにより（Ｓ５０４）、選択された仮想装置が現行の仮想装置（そのユーザが使用する仮想装置）に決定される（Ｓ５０５）。例えば、選択画像７２の中からユーザが選択した仮想装置が現行の仮想装置に決定される。
【００６８】
これに対し、Ｓ５０２のステップで利用可能な仮想装置が１つのみである場合には、その１つの仮想装置が選択されて現行の仮想装置に決定される（Ｓ５０５）。選択候補となる利用可能な仮想装置が１つのみである場合には、その１つの仮想装置が選択されて現行の仮想装置に決定されるため、通信部１０が備える複数の通信インターフェースの中から、現行の仮想装置に対応付けられた通信インターフェースが画像処理装置１００によって選択される。したがって、例えば、現行の仮想装置に対応付けられていない通信インターフェースをユーザが選択する誤選択の可能性が低減される。
【００６９】
現行の仮想装置が決定されると、つまりログインしたユーザが利用する仮想装置が決定されると、決定された現行の仮想装置に関する設定情報が確認される（Ｓ５０６）。例えば、画像処理装置１００は、仮想装置管理部５０によって管理される設定情報（図３参照）に含まれる現行の仮想装置に関する設定情報（図３（Ｂ）参照）を確認する。
【００７０】
そして、現行の仮想装置に対応したメニュー画像が表示部７０に表示される（Ｓ５０７）。例えば、表示画像形成部６０がメニュー画像７４（図４参照）を形成して、そのメニュー画像７４が表示部７０に表示される。
【００７１】
こうして、図５に例示するフローチャートに従って処理が終了した後、ユーザは、例えば表示部７０に表示されるメニュー画像７４を参照して仮想装置のサービスを利用する。
【００７２】
次に、図１に例示する画像処理装置１００による送信を伴うサービスの具体例について説明する。送信を伴うサービスの具体例には、スキャン（スキャンして得られた画像データの送信）とファクスが含まれる。
【００７３】
送信を伴うサービスには、宛先表管理部８０によって管理される宛先表が利用されてもよいし、宛先表が利用されなくてもよい。宛先表を利用しない場合には、例えば、現行の仮想装置の送信を伴うサービスで利用可能な１以上の通信インターフェースの中から、ユーザが所望の通信インターフェースを選択するようにしてもよい。宛先表を利用する場合には、現行の仮想装置で利用可能な宛先一覧が表示部７０に表示されてもよい。
【００７４】
図６は、仮想装置で利用可能な宛先一覧を得る処理の具体例を示す図（フローチャート）である。図６に例示する具体例では、まず、現行の仮想装置に対応付けられた通信インターフェースが確認される（Ｓ６０１）。例えば、画像処理装置１００は、仮想装置管理部５０によって管理される設定情報（図３参照）に含まれる現行の仮想装置に関する設定情報（図３（Ｂ）参照）を確認し、現行の仮想装置で利用可能な（利用許可された）通信インターフェースを特定する。
【００７５】
続いて、宛先表が取得される（Ｓ６０２）。例えば、宛先表管理部８０がデータ記憶部３０に記憶された宛先表を読み出して取得する。そして、宛先表に含まれる複数の宛先を対象として、例えば宛先表に含まれる全ての宛先を対象として、宛先ごとにＳ６０３からＳ６０５までの処理が実行される。
【００７６】
まず、現行の仮想装置に対応付けられた通信インターフェースで各宛先が利用可能かどうかが確認される（Ｓ６０３）。例えば、宛先表管理部８０は、宛先表に含まれる各宛先が、現行の仮想装置で利用可能な通信インターフェースに対応付けられた宛先であるか否かを確認する。
【００７７】
次に、選択されたサービスで各宛先が利用可能かどうかが確認される（Ｓ６０４）。例えば、宛先表管理部８０は、宛先表に含まれる各宛先が、現行の仮想装置のサービスとして現在選択されているサービスに対応付けられた宛先であるか否かを確認する。
【００７８】
そして、対象となる宛先がＳ６０３とＳ６０４の両方で利用可能であることが確認されると、その宛先が利用可能な宛先一覧に追加される（Ｓ６０５）。一方、対象となる宛先がＳ６０３またはＳ６０４で利用可能ではないことが確認された場合には、その宛先は利用可能な宛先一覧に追加されない。利用可能な宛先一覧は、例えば宛先表管理部８０が形成する。
【００７９】
Ｓ６０３からＳ６０５までの処理は、対象となる宛先ごとに繰り返し実行される。そして、対象となる全宛先が確認されると（Ｓ６０６）、利用可能な宛先一覧が表示される（Ｓ６０７）。例えば、宛先表管理部８０が形成した宛先一覧から、表示画像形成部６０がその宛先一覧を示す表示画像を形成し、その表示画像が表示部７０に表示される。
【００８０】
こうして、図６に例示するフローチャートに従った処理が終了した後、ユーザは、例えば表示部７０に表示される宛先一覧を参照して宛先を選択して決定する。
【００８１】
図７は、宛先表と宛先一覧の具体例を示す図である。図１に例示する画像処理装置１００で利用される宛先表は、例えばデータ記憶部３０に記憶されて宛先表管理部８０によって管理される。図７には、宛先表管理部８０が管理する宛先表の具体例が示されている。
【００８２】
図７に示す具体例において、宛先表には複数の宛先が含まれており、各宛先には、宛先名とサービスと通信インターフェースとアドレス／番号が対応付けられている。宛先名は各宛先の名称であり、サービスは各宛先を対象として利用できるサービスである。また、通信インターフェースは、各宛先に対応した（その宛先が利用される）通信インターフェースであり、アドレス／番号は、各宛先のアドレスまたは番号である。
【００８３】
また、図７には、宛先表管理部８０が形成する宛先一覧の具体例も図示されている。図７に示す宛先一覧は、通信インターフェース１と通信インターフェース３が利用可能な仮想装置１（図３（Ｂ）参照）でファクスのサービスが選択されている場合に、図７の宛先表から図６に例示する処理で得られる具体例の１つである。
【００８４】
図６に示すＳ６０３のステップでは、現行の仮想装置に対応付けられた通信インターフェースで各宛先が利用可能かどうかが確認される。現行の仮想装置として仮想装置１が選択されており、仮想装置１に通信インターフェース１と通信インターフェース３が対応付けられていれば、図７に例示する宛先表に含まれる複数の宛先の中で、宛先１と宛先２と宛先３が利用可能であると確認される。
【００８５】
さらに、図６に示すＳ６０４のステップでは、選択されたサービスで各宛先が利用可能かどうかが確認される。現行の仮想装置１でファクスのサービスが選択されていれば、図７に例示する宛先１と宛先２と宛先３の中で、ファクスのサービスに対応した宛先１と宛先２が利用可能であると確認される。こうして、図７に例示する宛先１と宛先２を含む宛先一覧が宛先表管理部８０によって形成され、その宛先一覧を示す表示画像が表示部７０に表示される。
【００８６】
なお、送信を伴うサービスでは、ユーザが、宛先の他に例えば送信文書のフォーマットや解像度などの設定を行い、送信の実行を指示（例えばスタートボタンを操作）することにより、画像処理装置１００が送信処理を実行する。その送信処理では、現行の仮想装置に設定された設定情報が利用されてもよい。例えば、現行の仮想装置に対して送信シートが設定されていれば（図３（Ｂ）参照）、設定された送信シートに対応した送信ヘッダを付け加えた送信が実行されてもよい。
【００８７】
また、図１の画像処理装置１００が備えるデータ記憶部３０内に複数の親展ボックスが設けられてもよい。各親展ボックスは例えば１つ以上の画像データ等を格納するフォルダとしての機能を備えている。データ記憶部３０内に複数の親展ボックスが設けられている場合に、画像処理装置１００は、例えば仮想装置ごとに利用可能な１以上の親展ボックスを対応付けて管理してもよい。
【００８８】
そして、親展ボックスへ画像データ等を蓄積（記憶）する場合に、例えば、蓄積される画像データ等に仮想装置を割り当てておき、画像データ等に割り当てられた仮想装置が利用可能な親展ボックスにその画像データ等が蓄積されてもよい。また、蓄積の対象となる仮想装置が予め選択され、選択された仮想装置が利用可能な親展ボックスに画像データ等が蓄積されてもよい。
【００８９】
一方、親展ボックスに蓄積（記憶）された画像データ等を転送する場合には、例えば、転送の対象となる仮想装置が予め選択され、選択された仮想装置が利用可能な親展ボックスに蓄積された画像データ等が転送の対象とされてもよい。また、蓄積された画像データ等に仮想装置を割り当てておき、画像データ等に割り当てられた仮想装置が転送の対象として選択されている場合に、その画像データ等が転送の対象とされてもよい。
【００９０】
次に、図１に例示する画像処理装置１００を利用したリモート指示の具体例について説明する。画像処理装置１００は、外部の情報処理装置やサーバ装置などからリモート指示を受け付ける機能を備えている。リモート指示の具体例には、例えば、文書転送（文書データや画像データの転送）などの指示が含まれる。
【００９１】
図８は、リモート指示に従った処理の具体例を示す図（フローチャート）である。例えば、外部の装置などからリモート指示を受け付けると、図８に例示するフローチャートに従った処理が開始される。
【００９２】
図８に例示する具体例では、まず、リモート指示された通信インターフェースが確認される（Ｓ８０１）。例えば、画像処理装置１００は、受け付けたリモート指示に含まれる転送元（リモート指示の要求元）の通信インターフェースを確認する。
【００９３】
次に、受け付けたリモート指示が管理者からのものか否かが確認される（Ｓ８０２）。例えば、画像処理装置１００は、受け付けたリモート指示に含まれるユーザ識別子が、その画像処理装置１００の管理者のユーザ識別子であれば、そのリモート指示が管理者からのものであると判定し、受け付けたリモート指示に含まれるユーザ識別子が、その画像処理装置１００の管理者のユーザ識別子でなければ、そのリモート指示が管理者からのものではないと判定する。
【００９４】
受け付けたリモート指示が管理者からのものであれば、画像処理装置１００が備える全ての仮想装置がリモート指示の対象として選択される（Ｓ８０３）。そして、管理者は、例えばリモート指示により管理ツール等を利用して文書等のバックアップを行う場合に、画像処理装置１００が備える全ての仮想装置に対する処理をまとめて実行するようにしてもよい。
【００９５】
一方、受け付けたリモート指示が管理者からのものでなければ、受け付けたリモート指示に仮想装置の指定があるか否かが確認される（Ｓ８０４）。例えば、画像処理装置１００の仮想装置の機能を知っているユーザまたは仮想装置の機能に対応した外部装置から受け付けたリモート指示であれば、例外的な場合を除いて、そのリモート指示に仮想装置の指定が含まれている。受け付けたリモート指示に仮想装置の指定が含まれていれば、その仮想装置でリモート指示の通信インターフェースを利用できるか否かが確認される（Ｓ８０５）。
【００９６】
例えば、リモート指示で指定された仮想装置が、Ｓ８０１で確認した通信インターフェースを利用可能であれば、リモート指示で指定された仮想装置がリモート指示の対象として選択される（Ｓ８０６）。一方、例えば、リモート指示で指定された仮想装置が、Ｓ８０１で確認した通信インターフェースを利用可能でなければ、リモート指示が禁止され（Ｓ８１１）、図８に例示するフローチャートが終了する。
【００９７】
Ｓ８０４に戻り、例えば、画像処理装置１００の仮想装置の機能を知らないユーザまたは仮想装置の機能に対応していない外部装置から受け付けたリモート指示であれば、例外的な場合を除いて、そのリモート指示に仮想装置の指定が含まれていない。受け付けたリモート指示に仮想装置の指定が含まれていなければ、リモート指示された通信インターフェースに割り当てられた優先仮想装置が選択される（Ｓ８０７）。例えば、Ｓ８０１で確認した通信インターフェースに対して割り当てられた優先仮想装置（図３（Ｃ）参照）がリモート指示の対象として選択される。
【００９８】
Ｓ８０３，Ｓ８０６，Ｓ８０７のいずれかでリモート指示の対象となる仮想装置が選択されると、受け付けたリモート指示に文書転送の指示が含まれているか否かが確認される（Ｓ８０８）。受け付けたリモート指示に文書転送の指示が含まれていなければ、リモート指示が許可されて（Ｓ８１０）、図８に例示するフローチャートが終了する。
【００９９】
一方、受け付けたリモート指示に文書転送の指示が含まれていれば、リモート指示の対象として選択された仮想装置で転送指示に従った転送が可能か否かが確認される（Ｓ８０９）。例えば、リモート指示の対象として選択された仮想装置が、そのリモート指示の転送指示に含まれる転送先（宛先）に対応した通信インターフェースを利用可能か否かが確認される。
【０１００】
そして、Ｓ８０９の確認で転送が可能であれば、つまり転送指示に含まれる転送先に対応した通信インターフェースが利用できれば、リモート指示が許可されて（Ｓ８１０）、図８に例示するフローチャートが終了する。なお、リモート指示が許可された場合には、画像処理装置１００がそのリモート指示に従ったサービスを実行する。
【０１０１】
これに対し、Ｓ８０９の確認で転送が可能でなければ、つまり転送指示に含まれる転送先に対応した通信インターフェースが利用できなければ、リモート指示が禁止されて（Ｓ８１１）、図８に例示するフローチャートが終了する。例えば、Ｓ８０７の処理でリモート指示された通信インターフェースに割り当てられた優先仮想装置が選択された場合に、選択された優先仮想装置がそのリモート指示の転送指示に含まれる転送先（宛先）に対応した通信インターフェースを利用できなければ、そのリモート指示が禁止される。例えばそのリモート指示の転送指示に従った転送処理が実行されない。
【０１０２】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【０１０３】
１０  通信部、２０  通信管理部、３０  データ記憶部、４０  制御部、５０  仮想装置管理部、６０  表示画像形成部、７０  表示部、８０  宛先表管理部、９０  操作受付部、１００  画像処理装置。
【図１】
2020048154.tif 000003
【図２】
2020048154.tif 000004
【図３】
2020048154.tif 000005
【図４】
2020048154.tif 000006
【図５】
2020048154.tif 000007
【図６】
2020048154.tif 000008
【図７】
2020048154.tif 000009
【図８】
2020048154.tif 000010